(57)【要約】      （修正有）【課題】防波堤は、海岸に数メートルの高さのものが多く、海岸に沿うようにあるだけであったが、津波に対して、うまく波を逃がしてあげることにより、建物への津波の侵入を最小限に押さえる防波堤を提供する。【解決手段】防波堤に加えて、各箇所、各家、各建物の前部、または前後部の両方に鋭角な面、または曲面の防波堤であり、鋭角な面、または曲面は津波の方向に対して、凸な形状をしており、鉛直方向には垂直または傾斜しており、この防波堤により、津波に対して、うまく波を逃がしてあげることにより、各箇所、各家、各建物への津波の侵入を最小限に押さえるものとする。【選択図】図１
2012225072.tif 000002
【特許請求の範囲】
【請求項１】
津波に対する防波堤において、津波の予想される進行方向に対して凸形状に沿う防波堤を設ける防波堤
【請求項２】
請求項１の津波に対する防波堤において、津波の進行方向に対して2次形式の凸形状の関数の曲線に沿う防波堤を設ける防波堤
【請求項３】
請求項１の津波に対する防波堤において、津波の進行方向に対して建物の前面に鋭角な面に沿う防波堤を設ける防波堤
【請求項４】
請求項２の防波堤の形状は、円弧または惰円または双曲線余弦関数または放物線または双曲線である防波堤
【請求項５】
請求項１乃至４の防波堤は鋭角な面、曲面に沿うようにブロック塀で構成される防波堤
【請求項６】
請求項１乃至４の防波堤は鋭角な面、曲面に沿うように木による生垣で構成される防波堤
【請求項７】
請求項１乃至４の防波堤はコンクリートで構成される防波堤
【請求項８】
請求項１乃至５の防波堤はブロック塀とコンクリートで構成される防波堤
【請求項９】
請求項１乃至８の防波堤は津波の予想される進行方向対して前側と後側の両側に防波堤を設けた防波堤
【請求項１０】
請求項９の防波堤の間は離れている防波堤
【請求項１１】
請求項９の前後の防波堤の間は直線部分の防波堤で構成される防波堤
【請求項１２】
請求項１乃至１１の防波堤は傾斜を持たせている防波堤
【請求項１３】
請求項１乃至１２の防波堤は地面より２メートル以上ある防波堤
【発明の詳細な説明】
【技術分野】
【０００１】
本発明は、建物の前または前後に防波堤を設け、津波による被害を最小限に抑える防波堤の方法を提供する。
【背景技術】
【０００２】
従来は海岸沿いに防波堤を設ける方法が考えられていた。防波堤をより、高くすることもあるが、2回目、3回目の津波を何度も受けることになることもあり、これだけでは防ぎようもない可能性がある。
【先行技術文献】
【特許文献】
【０００３】
【特許文献１】特許公開２００５−２０１０２６
【発明の概要】
【発明が解決しようとする課題】
【０００４】
従来の防波堤は、海岸に数メートルの高さのものが多く、海岸に沿うようにあるだけであった。
本発明は、従来の防波堤に加えて、各箇所、各家、各建物の前、または前後に鋭角な面、または曲面状の防波堤を設け、津波に対して、うまく波を逃がしてあげることにより、建物への津波の侵入を最小限に押さえるものとする。
【０００５】
特許公開２００５−２０１０２６に津波防御対策が示されているが、ブロック状で空間のあるものを積み上げている点で、本特許は防波堤に波を通過させるような空間はなく、異なる。
【課題を解決するための手段】
【０００６】
防波堤を各箇所、各家、各建物に設置する。この防波堤の形状は各箇所、各家、各建物の前、または前後に鋭角な面、または曲面状である。高さ方向にはほぼ断面が一定であればいいが、傾斜を持たせてもよい。また、その防波堤の軸は地形上、津波が来ると予想される方向にあわせる。曲面は円弧、惰円状でもよく、双曲線関数を用いた形状でも良い。また、一般に円、惰円、双曲線、放物線のような2次形式で凸形状で表わされる関数であり、この形状を用いても良い。円、惰円はcos関数、sin関数で表されるが、双曲線余弦関数はcoshと表記されるが、この関数はcos、sin関数で表され同類の凸形状をｄ表す関数である。
【０００７】
津波は戻ってくる波もあるので各箇所、各家、各建物においては、予想される津波の進行方向の前面だけでなく、後方にも同様の形状で防波堤を形成しても良い。
【０００８】
津波の過去の高さから考慮して、防波堤の高さは２メートル以上にするのが望ましい。
【発明の効果】
【０００９】
本発明は各箇所、各家、各建物の前、または前後に鋭角な面、または曲面状の防波堤を設け、津波に対して、うまく波を逃がしてあげることにより、建物への津波の侵入を最小限に押さえるものとする。
以下の説明では各箇所、各家、各建物を建物という言葉で統一する。
【図面の簡単な説明】
【００１０】
【図１】防波堤を上から見た上面図を示す。建物の前面に円弧状の防波堤を設置する。
【図２】防波堤を上から見た上面図を示す。建物の前面に鋭角な面状の防波堤を設置する。
【図３】防波堤を上から見た上面図を示す。建物の前面に双曲線関数状の防波堤を設置する。
【図４】防波堤を上から見た上面図を示す。防波堤がブロック状で構成される防波堤の例を示す。
【図５】建物の前面、後面に防波堤を設けた例を示す。
【図６】建物の前面、後面を接続した防波堤を設けた例を示す。
【図７】建物の前面、後面の間の側面にも防波堤を設けた例を示す。
【発明を実施するための形態】
【実施例１】
【００１１】
図１に建物の前面に曲面の一つである円弧状の防波堤を設けた例を示す。津波が来た時、この曲面状にそって、海水が分岐され、家または建物内への侵入をある程度押さえることができる。曲面の軸は地形上、津波が来ると予想される方向に向いていることが望ましい。
【実施例２】
【００１２】
図２に建物の前面に鋭角な面な防波堤を設けた例示す。
【実施例３】
【００１３】
図３に建物の前面に双曲線余弦関数に沿うように防波堤を設けた例を示す。双曲線余弦関数はひもを垂らした時、重力場を受け、その時のエネルギー、応力が最小になる最適な形状である。津波も同様の等分布荷重と考えられるので、この双曲線余弦関数を防波堤に用いるのは最適な形状になる。
図１、図３の防波堤は曲面だが、凸形状の曲面なら、いずれでも効果がある。例えば、２次形式の関数である、惰円、放物線、双曲線でも良い。円弧もまた、２次形式の関数の仲間であり、双曲線関数も円弧を形成するcos関数とsin関数で表され、２次形式の関数の凸形状を示す関数の仲間である。
【実施例４】
【００１４】
図４に図１〜図３の防波堤をブロック形状で近似した例を示す。コンクリートブロック塀、レンガ塀で防波堤を製造する時に、設置される形状になる。
外周面だけがブロック形状、内側はコンクリートのような形態でも良い。
また、外周面と防波堤の内側の面にブロック形状を用い、間にはコンクリートのような形態でも良い。
【実施例５】
【００１５】
図５に建物の前面、後面の両方に防波堤を設ける例を示す。
【００１６】
図６に建物の前面、後面が接続された防波堤を設ける例を示す。
図７に建物の前面、侯面の両方に加えて側面にも防波堤を設ける例を示す。
図６、図７の場合、建物全体が防波堤に覆われることになるが、例えばドアを設けて、出入りすることを可能にさせれば良い。
また、高さ方向にはほぼ断面が一定であればいいが、傾斜を持たせてもよい。
【産業上の利用可能性】
【００１７】
本発明は、従来の防波堤に加えて各箇所、各家、各建物の前または前後に、鋭角な面、または曲面状の防波堤を設け、津波に対して、うまく波を逃がしてあげることにより、建物への津波の侵入を最小限に押さえるものとする。
【図１】
2012225072.tif 000003
【図２】
2012225072.tif 000004
【図３】
2012225072.tif 000005
【図４】
2012225072.tif 000006
【図５】
2012225072.tif 000007
【図６】
2012225072.tif 000008
【図７】
2012225072.tif 000009